(57)【要約】      （修正有）【課題】労力も経費も少なく樹木を防雪・防寒から守る樹木用防雪・防寒袋を提供する。【解決手段】樹木１を雪や寒さから守るための樹木用防雪・防寒袋であって、支柱棒２と、支柱棒２の先端に差し込まれた円錐の上ぶた３と、円錐の上ぶた３の上から被せた、空気が通るよう複数の穴があいた円形又は多角形の布又はビニールシート８からなる。支柱棒２の先端の太さに合わせるため、円錐の上ぶた３の内部に必要に応じ交換可能に設けられた大小２種類の円筒形の筒をさらに有する。円錐の上ぶた３の外側に、複数の穴をあけて換気ができるようになっている円錐の上ぶたカバー４を取り付け、円錐の上ぶた３と円錐の上ぶたカバー４とが、風で外れないように設けられたストッパーをさらに有する。【選択図】図１
0003219071.tif 000002
【実用新案登録請求の範囲】
【請求項１】
支柱棒の先端に差し込む円錐の上ぶたに、空気が通るよう複数の穴をあけ、また円錐の上ぶたの上から円形又は多角形の布またはビニールシートを被せ、樹木を雪や寒さから守るための樹木用防雪・防寒袋です。
【請求項２】
円錐の上ぶたの内部に差し込む大小２種類の円筒形の筒は、支柱棒の先端の太さに合わせるため、必要に応じ取り外して交換することが可能なとなっています。
【請求項３】
円錐の上ぶたの外側に円錐の上ぶたカバーを取り付け、円錐の上ぶたカバーにも複数の穴をあけ、換気ができるようになっています。また、円錐の上ぶたと円錐の上ぶたカバーが風等で外れないようにストッパーを設けてあります。
【請求項４】
円錐の上ぶたの外周部２か所に溝を設けてあります。これはこの上から被せる円形又は多角形の布またはビニールシートが風で飛んだり、雪で脱落しないように上から紐又はゴム輪で溝に沿ってはめ込み、縛るなどして抑え込むためです。
【請求項５】
円形又は多角形の布またはビニールシートの中心部に穴があけてあります。また、外周部に一定の間隔で紐が通る程度の穴が等間隔にあけてあります。なお、穴の亀裂及び破損を防ぐため、穴の中心部及び外周が縁取りしてあります。
【請求項６】
円形又は多角形の布またはビニールシートの色は無色透明又は乳白色です。
【考案の詳細な説明】
【技術分野】
【０００１】  本考案は、冬季及び寒冷地において樹木や盆栽などあらゆる植物を雪や寒さから保護し、もって年間を通し安定的な植物の育成を図ることを目的とした樹木用防雪・防寒袋です。
【背景技術】
【０００２】  今までは積雪・寒冷地域では、積極的に樹木の防雪・防寒対策を講じてこなかったのが実情です。
すなわち、これらは自然現象であり、被害が生じても半ば諦めて対策を講じなかったり、あるいは植え替えすればこと足りると考えてきたのです。
庭や畑に植えた果樹などが冬季そのままに放置され、幹が割れたり枝が折れたりして、最悪の場合枯れることにより処分しなければならないケースもあります。特に雪や寒さに弱い熱帯・亜熱帯の植物は雪や寒さに耐えられず枯れてしまう例が多く見受けられます。【０００３】  さらに、簡略にビニールシートのみを被せた樹木も見受けられますが、円錐形でないため雪の重みでビニールシートが裂けたり凹んだりして、樹木に被害を与えてしまうこともあります。また、ビニールシートが裂けなくても穴が空いていないため、ビニールシート内が蒸れたり、あるいは高温となってかえって樹木を弱らせてしまう例も見受けられます。【０００４】  一方、日本庭園などに見られる雪つりと称しているものや、幹の周りを菰（こも）で囲ったり、あるいは小さな植物を三角形に組んだ雪囲いで覆うのが一般的ですが、これらの措置は、防雪・防寒効果から見ると効果も弱く、また労力や費用もかなり要します。
このように、防雪・防寒対策を放置すれば経済的にも多大な損失を被るばかりではなく、その後の樹木の回復にも長い年月を要することになります。
【先行技術文献】
【特許文献】
【０００５】  日本分類２Ｂ１１  ▲１１▼実用新案願公告  昭４７−３１３３６
【考案の概要】
【考案が解決しようとする課題】
【０００６】  〔特許文献〕においては、軽量ですが上部を支柱に単に紐等で縛っただけであり、耐久性も定かではありません。また、支柱も斜めになっており、雪の重さに耐えうるのかは疑問です。また下部においては、ゴム輪で絞ってありますが、一定範囲内でしか広がらず、下部の面積が大きい樹木には防寒覆袋を被せることが困難です。これらの問題点を克服したのが本件実用新案登録願であり、さらに以下の課題をも克服することにより、より防雪・防寒の効果が発揮されます。
（１）  一般的に防雪・防寒対策のための材料の設置及び取り外しの作業は多大な労力と時間を要するため、課題として作業が単純・簡単で労力がかからず、誰でも手軽に作業ができることが必要です。しかも雪の重みでつぶれたり風で飛ばされたりしないような工夫が必要です。
（２）  また防雪・防寒の必要がなくなったときは、防雪・防寒材料を保管するための収納スペースをあまりとらないことが求められます。特に材料がコンパクトに折りたためることや、重ねて保管できるような材料であればより効果的です。
（３）  さらに、防雪・防寒の材料を長期にわたり使用することが求められることから耐久性があり、しかも材料の購入の経費が庭師等を雇い防雪・防寒作業を行うより安価であれば、多くの人がこれを使用することになり、防雪・防寒の効果が一層高まります。【０００７】  本考案は、以上のような従来の欠点や課題を克服し、材料の軽さによって設置や取り外しが簡単なこと、小スペースで収納できること、さらに従来の設置や取り外しの費用に比べて安価であることが利点であり、本考案である樹木用防雪・防寒袋を提供するものです。
【課題を解決するための手段】
【０００８】  上記目的を達成するため、本考案は、（〔請求項１〕及び〔請求項３〕の構成要件）である円錐の上ぶたと円錐の上ぶたカバーを設置することにより、雪が上部に積もらず、また、（〔請求項５〕の構成要件）である円形又は多角形の布またはビニールシートの外周部の穴に紐を通し、巾着を締めるように縛る構造となっています。このことから、変形した樹木にも設置が可能であり、さらに雪が布またはビニールシートに積もらず地面に滑り落ちるような傾斜をとっていることから、雪の重みを極力かけないような工夫をしています。
また、（〔請求項３〕の構成要件）である円錐の上ぶた及び円錐の上ぶたカバーの上部には空気が出入りできる複数の穴を空け、樹木の蒸れを防ぐように工夫しています。
更に、円錐の上ぶたと円錐の上ぶたカバーとが風等で外れないよう、ストッパーを設ける工夫をしています。【０００９】  支柱棒は材質が多岐にわたることや、長さ・太さも様々であることから、（〔請求項２の構成要件〕）との関係で、円錐の上ぶたの底部に円筒形の穴が空いており、支柱棒の先端の太さに合わせられるよう大小２種類の円筒形の筒がはめ込めるように工夫しています。【００１０】  （〔請求項４の構成要件〕）との関係で、円錐の上ぶたの外周部２か所に外周部に沿ってそれぞれ溝が設けてあります。これは円形又は多角形の布またはビニールシートが風で飛んだり雪で脱落しないように上から紐又はゴム輪で溝に沿ってはめ込み、縛るなどしてより確実に脱落しないよう工夫しています。【００１１】  円形又は多角形の布またはビニールシートの中心部に穴が空けてあるのは、（〔請求項５〕の構成要件）との関係で布またはビニールシートが円錐の上ぶたから外れたりしないように工夫しました。また、外周部に一定の間隔で、紐が通る程度の穴を等間隔に空けたのは、その穴を紐でジグザグに通して巾着を縛るようにすることにより、樹木の形に被せることができ、たるみがないことにより雪などが滑り落ちやすくなることや、樹木の下部が風等であおられないように工夫しています。
さらに、長期にわたり使用すれば穴の周囲に亀裂が入ったり破損したりします。これを防ぐため、（〔請求項５〕の構成要件）で、布またはビニールシートの中心部及び外周部の穴を縁取りすることにより亀裂や破損を極力防ぐことができるよう工夫しています。【００１２】  円形又は多角形の布またはビニールシートの色は（〔請求項６〕の構成要件）との関係で無色透明又は乳白色としました。これは、樹木は太陽の光を受け光合成を行い、樹木にとって成長や果実の熟成等に重要な役割を果たすことから、無色透明としました。
なお、樹木によっては直射日光を若干嫌うものがあると思われるので、乳白色によって光の量を調節することも可能となるよう工夫しました。
【考案の効果】
【００１３】  以上の説明から明らかなように、本考案にあっては次に列挙する効果が得られます。
（１）  本考案は軽量かつコンパクトであり、また作業手順が至って簡略であることから力の弱い人や高齢者でも簡単に取り付け、取り外しができます。
（２）  円形又は多角形の布またはビニールシートが折りたためることから、収納スペースも殆ど取らず家庭内の物置にも十分に納まり、保管が容易です。
（３）  一般の家庭での設置や取り外しが可能なことから、庭師など専門職に依頼する必要もなく、また一度購入すると長期にわたり使用可能なことから、経費的にも負担軽減が図られます。
（４）  外観上も美しく、また庭等に設置することによりオブジェとしても十分楽しめることから、庭や畑、果樹園などの景観や美観にも寄与することができます。
（５）  本件樹木用防雪・防寒袋が広く普及することにより、積雪地帯・寒冷地帯の樹木の保護・成長が促進され、また雪害による倒木が防止され、果樹等の枝折れや枯れの防止、新芽の保護にも役立つこと、さらには盆栽など低木の管理にも最適であり、雪等の自然災害の軽減、緑の保全にも寄与できます。
【図面の簡単な説明】
【００１４】
【図１】  外観図  本考案を実施するための最良の形態の外観図です。
【図２】  円錐の上ぶた  円錐の上ぶたの立体図です。円錐の上ぶたには、上部・下部に空気が出入りする穴が空いています。また、底部には円筒形の穴が空いており、そこに大小２種類の円筒形の筒がはめ込めるようになっており、支柱棒の先端の太さの違いにより、適宜交換できます。
【図３】  円筒形の筒（大）  円筒形の筒（大）の立体図です。円錐の上ぶたの底部に円筒形の筒（大）がはめ込めるようになっています。
【図４】  円筒形の筒（小）  円筒形の筒（小）の立体図です。円筒形の筒（大）の内側に更に小さな円筒形の筒（小）がはめ込めるようになっています。
【図５】  支柱棒  支柱棒の立体図です。支柱棒の材質は、木、竹、金属、プラスチック等種類を選びませんが、支柱棒の最上部に取り付ける本考案材料を支えることができる程度の強度が必要です。
【図６】  円錐の上ぶたと円筒形の筒（大・小）及び支柱棒  円錐の上ぶたとその内側に差し込む大小の円筒形の筒及び支柱棒の断面図です。
【図７】  円錐の上ぶたカバー  円錐の上ぶたカバーの立体図です。円錐の上ぶたは、外観上ゴム輪や円形又は多角形の布またはビニールシートの端が見えるため雑然としています。やはり景観上も美的な要素が求められることから、カバーを取り付けるものです。また、内部に突起（ストッパー）があります。
【図８】  円錐の上ぶたと円錐の上ぶたカバーの上部  円錐の上ぶたと円錐の上ぶたカバーの上部の断面図です。円錐の上ぶたカバーは円錐の上ぶたよりやや大きく、中にストッパーが出ています。これは円錐の上ぶたの外側上部に出ているストッパーと上下にすれ違うようになっており、風等により外れることはありません。円錐の上ぶたカバーを回しながら、ストッパーどうしが重なる位置で合わせるようになっています。
【図９】  ゴム輪（大）  ゴム輪（大）の平面図です。円錐の上ぶたの外側の下部に、円形又は多角形の布またはビニールシートが外れないように締め付けるゴム輪です。
【図１０】  ゴム輪（小）  ゴム輪（小）の平面図です。円錐の上ぶたの外側の上部に、〔図９〕と同じ要領で締め付けるゴム輪です。
【図１１】  円形の布またはビニールシート  円形の布またはビニールシートの平面図です。円形の布またはビニールシートの中央部は、円錐の上ぶたの上部で止まるように穴が空いています。また、円形の布またはビニールシートの外周部には適度な間隔で紐を通す程度の穴が空いており、円形の布またはビニールシートの大きさによって穴の個数は増減します。なお、中央部及び外周部の穴の周りは縁取りがされています。
【図１２】  多角形の布またはビニールシート（６角形の例）  多角形の布またはビニールシート（６角形の例）の平面図です。外形は〔図１１〕とは異なりますが、中央部、外周部の構造は〔図１１〕と同じです。
【図１３】  多角形（６角形の場合）の布またはビニールシートと外周部の紐  多角形（６角形の場合）の布またはビニールシートの外周部に紐をジグザグに通した実施例です。
【考案を実施するための形態】
【００１５】  防雪・防寒を施そうとする樹木に支柱棒を立て、支柱棒が倒れないように幹などに縛ります。支柱棒の上部に円錐の上ぶたを被せ、さらにその上から円形又は多角形の布またはビニールシートを被せます。
次に、円錐の上ぶたと布またはビニールシートが外れないように上からゴム輪（大・小）で留め、さらにその上から円錐の上ぶたカバーを回しながらストッパーが重なるところで止めます。
最後に、円形又は多角形の布またはビニールシートの外周部の穴にジグザグに紐を通して巾着を締める要領で縛って完了です。
以下、本考案の実施の形態を図に基づいて説明します。
【実施例】
【００１６】  防雪・防寒を施そうとする樹木に、支柱棒〔図１の符号２〕を樹木の幹などに垂直に立てて紐等で縛って固定し、その先端に円錐の上ぶた〔図３〕を被せます。
なお、円錐の上ぶたの底部には円筒形の穴が空いており、その円筒形の穴の中にさらに大小２種類の円筒形の筒〔図３〕・〔図４〕が出し入れできるようになっています。これは、支柱棒の先端の太さによって使い分けることができるようにするためです。
この円錐の上ぶたの上部から円形の布またはビニールシート〔図１１〕又は多角形の布またはビニールシート〔図１２〕を被せ、この円錐の上ぶたの２か所にある溝に治って上から紐で縛るなり、ゴム輪大〔図９〕及びゴム輪小〔図１０〕を被せます。
円錐の上ぶたに円錐の上ぶたカバー〔図７〕を被せ、両方のストッパー（〔図８〕の〔符号１３及び符号１４〕）が上下に重なるまで回して止めます。
円形又は多角形の布またはビニールシートの外周部に空いている穴に紐〔図１の符号９〕をジグザグに通し、巾着を締める要領で適度に締め、縛って完了です。
【産業上の利用可能性】
【００１７】  本考案は、防雪・防寒を目的としたものであり、冬季及び雪国や寒冷地に幅広く使用することが可能であり、樹木の立ち枯れや倒木・枝折れを防ぐことにより保護・育成が図れます。また、防雪・防寒袋が広く普及することにより、製造、流通、販売及び消費の過程で多大な経済効果を発揮することができます。
【符号の説明】
【００１８】  １  樹木
２  支柱棒
３  円錐の上ぶた
４  円錐の上ぶたカバー
５  円錐の上ぶた及び円錐の上ぶたカバーの穴の一部
６  ゴム輪（大）
７  ゴム輪（小）
８  円形又は多角形の布またはビニールシート
９  紐
１０  樹木と支柱棒を紐等で縛っている箇所
１１  円筒形の筒（大）
１２  円筒形の筒（小）
１３  円錐の上ぶたのストッパー
１４  円錐の上ぶたカバーのストッパー
【図１】
0003219071.tif 000003
【図２】
0003219071.tif 000004
【図３】
0003219071.tif 000005
【図４】
0003219071.tif 000006
【図５】
0003219071.tif 000007
【図６】
0003219071.tif 000008
【図７】
0003219071.tif 000009
【図８】
0003219071.tif 000010
【図９】
0003219071.tif 000011
【図１０】
0003219071.tif 000012
【図１１】
0003219071.tif 000013
【図１２】
0003219071.tif 000014
【図１３】
0003219071.tif 000015
【手続補正書】
【提出日】平成30年9月11日(2018.9.11)
【手続補正１】
【補正対象書類名】実用新案登録請求の範囲
【補正対象項目名】全文
【補正方法】変更
【補正の内容】
【実用新案登録請求の範囲】
【請求項１】
樹木を雪や寒さから守るための樹木用防雪・防寒袋であって、支柱棒と、該支柱棒の先端に差し込まれた円錐の上ぶたと、該円錐の上ぶたの上から被せた、空気が通るよう複数の穴があいた円形又は多角形の布又はビニールシートからなることを特徴とする、樹木用防雪・防寒袋。
【請求項２】
該支柱棒の先端の太さに合わせるため、該円錐の上ぶたの内部に必要に応じ交換可能に設けられた大小２種類の円筒形の筒をさらに有する、請求項１に記載の樹木用防雪・防寒袋。
【請求項３】
該円錐の上ぶたの外側に、複数の穴をあけて換気ができるようになっている円錐の上ぶたカバーを取り付け、該円錐の上ぶたと該円錐の上ぶたカバーとが、風で外れないように設けられたストッパーをさらに有することを特徴とする、請求項１又は２のいずれか１項に記載の樹木用防雪・防寒袋。
【請求項４】
該円形又は多角形の布又はビニールシートが風で飛んだり、雪で脱落しないように上から紐又はゴム輪で溝に沿ってはめ込み、縛ることができるように、該円錐の上ぶたの外周部２か所に溝を設けた、請求項１から３のいずれか１項に記載の樹木用防雪・防寒袋。
【請求項５】
該円形又は多角形の布またはビニールシートの中心部には穴が形成され、さらに外周部には一定の間隔で紐が通る大きさの穴が形成されており、該中心部の穴及び該外周部の穴には、亀裂及び破損を防ぐための縁取りをしている、請求項１から４のいずれか１項に記載の樹木用防雪・防寒袋。
【請求項６】
該円形又は多角形の布またはビニールシートの色は、無色透明又は乳白色である、請求項１から５のいずれか１項に記載の樹木用防雪・防寒袋。